(57)【要約】      （修正有）【課題】停止している自動車内で、携帯パソコンの操作を必要とした場合、マガジン収納部等から、簡易テーブルを取り出しステアリングハンドルに取り付け、パソコン操作をする。又使用しないときには、自動車内の収納部に納めることができる着脱が容易な吊りテーブルであって、携帯パソコンの操作の他、メモ書き、食事等ができるものである。【解決手段】物置台１と背板２の下部は左右二つの蝶番３を介して結合し、背板の上部と物置台を左右の鎖状ひも（６，７）２本で吊る構造である。それに加え、背板上部にはハンドル着脱鎖状ひも４及びフック５を取り付け、ハンドル着脱鎖状ひもを自動車のステアリングハンドルの構造物に,巻き付け、その先端をフックに掛けることによってハンドルに取り付け、先端をフックから外すことによって取り外すことができる。本考案を二つ折りにし、収納部に収める。【選択図】図１
0003127106.tif 000002
【実用新案登録請求の範囲】
【請求項１】
4テーブル着脱鎖状ひもを、自動車のハンドルの外輪を構成する部品に跨ぎ又は巻きつけ、その先端を4テーブル着脱鎖状ひもの支持体に取り付けた5フックに引っ掛けることによって、ハンドルに取り付け、5フックに引っ掛けている鎖状ひもを外すことによって、ハンドルから取り外せる構造
【請求項２】
1物置台の端と2背板下部を、蝶番を介して結合し、2背板上部右端と1物置台右辺の任意の点を結んだ6右側吊り鎖状ひも、及び2背板上部左端と1物置台左辺任意の点を結んだ7左側吊り鎖状ひもで吊った物置台
【考案の詳細な説明】
【技術分野】
【０００１】
本考案は、自動車等のステアリングハンドル用着脱及び収納可能な背板付き吊り物置台に関するものである。
【背景技術】
【０００２】
昨今は、コンピュータが普及し、産業界はもとより家庭まで浸透している。又、モバイル環境も社会に整いつつあり、常時パーソナルコンピュータを携帯する人も増加している。その中には、自動車の中に持ち込む人も考えられ、そして、運転する人もその例外ではない。その運転する人が、自動車を止めているときに、簡単に取り出し、ハンドルに取り付けられるテーブルがあれば有効であるが、今現存するのは特許文献１に示すオーソドックスなものがあるが、突起部が大きく、自動車の収納部に容易に入らない。必要とするときに、自動車内のマガジン収納部等から取り出し、容易にステアリングハンドルに着脱できる物置台が存在しない。  
【特許文献１】実登3022049号公報
【考案の開示】
【考案が解決しようとする課題】
【０００３】
解決しようとする課題は、自動車等のステアリングハンドルに容易に(イ)着脱可能で、
【０００４】
使用しないときには(ロ)自動車内の収納部に納められること。
【０００５】
又吊り物置台が使用状態において(ハ)安定であること。
【課題を解決するための手段】
【０００６】
課題(イ)に対しては、2背板上部の左端から右端に取り付けた4ハンドル着脱鎖状ひもを、自動車のステアリングハンドルの外輪を構成する部品を跨ぎ又は巻きつけ、その先端を2背板に取り付けた5フックに引っかけることによって、吊り物置台をハンドルに取り付け、着脱可能な構造とする。
【０００７】
課題（ロ）に対しては、1物置台と2背板を、折りたたみを可能とするため3蝶番で結合し、折りたたんだ際、その間に挟まるように他の部材は変形自在な鎖状ひもとすることで、使用しないときは折りたたみスリムな姿となるようにした。
【０００８】
課題（ハ）に対しては、1物置台を2背板と鎖状ひも(6,7)で吊ることによって、物置台手前に上部からの力がかかっても安定する構造である。
【考案の効果】
【０００９】
運転者が停車中の自動車の中で、携帯パソコン等の操作をするとき、膝の上に置いて操作すると、ハンドルが邪魔になり、席を他の席に移動しても、膝の上に置いたパソコンを不自由な姿勢で操作することになるが、本考案が存在すると、運転者は手の届く範囲にある収納部から本考案を取り出し、ハンドルにセット後、物置台の上にパソコンを置き、容易にパソコン操作ができる。又操作終了後に本考案をハンドルから取り外し、二つ折にすることによって、手の届く範囲の収納部に片付けることができる。パソコン操作のみでなく、メモとり、食事等に於いても効果は同様である。
【考案を実施するための最良の形態】
【００１０】
本考案は、1.物置台、2.背板、3.蝶番、5フック、4・6・7の鎖状ひもで構成している。1物置台2の背板は硬質な材質であれば、プラスチック板、木版、鉄板等でも良い。又鎖状ひもは引っ張り強さに耐えられるものであって紐状のものであれば良い。3蝶番は、1物置台、2背板に小穴を開け、そこにリングを通した簡単なものでも良い。物置台の角度の調整は、吊り用の鎖状ひもの長さを調節できる構造、又は1物置台の鎖状ひもの止め穴の位置を変えられる構造とすることによって可能である。並びに物置台の高さ等は、運転席のシート或いはハンドルの調整機能を活用することで対処することができる。
【実施例１】
【００１１】
図1は本考案の実施例1であって、斜視図である。
【００１２】
図2は実施例1の本考案をハンドルに取り付けたときの斜視図である。
【００１３】
図3は本考案を折りたたみ保存状態にした斜視図である。
【産業上の利用可能性】
【００１４】
コンピュータが社会に普及し、業務に携わる人の中には、常時パーソナルコンピュータを携帯する人も見受けられる。その中には、自動車の中に持ち込む人も考えられる。そして運転する人もその対象となり得る。その運転する人が、自動車を止めているときに、本考案を簡単に取り出し、取り付けパーソナルコンピュータを操作することにより、タイムリーに日報又は報告書等を作成することによって、業務推進に約立ち、ひいては産業界に貢献する。
【図面の簡単な説明】
【００１５】
【図１】本考案の斜視図である。
【図２】本考案をハンドルに取り付けたときの斜視図である。
【図３】本考案を折りたたみ保存状態の斜視図である。
【符号の説明】
【００１６】
1       
物置台
2       
背板
3       
蝶番
4       
ハンドル着脱鎖状ひも
5       
フック
6       
右側吊り鎖状ひも
7       
左側吊り鎖状ひも
【図３】
0003127106.tif 000003
【図１】
0003127106.tif 000004
【図２】
0003127106.tif 000005
【手続補正書】
【提出日】平成18年9月19日(2006.9.19)
【手続補正１】
【補正対象書類名】実用新案登録請求の範囲
【補正対象項目名】全文
【補正方法】変更
【補正の内容】
【実用新案登録請求の範囲】
【請求項１】
停車中の自動車のハンドルに引っ掛けて使用する吊り物置台であって、前記吊り物置台は、鎖状ひも(6,7)と蝶番(3)で結合した物置台(1)と背板(2)を、前記ハンドルの外輪を構成する部品(8)を跨ぎ又は巻きつけ取り付けるためのハンドル着脱鎖状ひも(4)を背板(2)上部の右端から左端に取り付け、又該部品(8)を跨ぎ又は巻き付けたハンドル着脱鎖状ひも(4)を止めるフック(5)を背板(2)上部に取り付けたハンドル用吊り物置台。
【請求項２】
前記鎖状ひも(6,7)は、背板(2)上部右端と物置台(1)右辺の任意の点を結んだ右側吊り鎖状ひも(6)、及び背板(2)上部左端と物置台(1)左辺の任意の点を結んだ左側吊り鎖状ひも(7)で吊った構造を特徴とする請求項1記載のハンドル用吊り物置台。
【手続補正２】
【補正対象書類名】明細書
【補正対象項目名】全文
【補正方法】変更
【補正の内容】
【考案の詳細な説明】
【技術分野】
【０００１】
本考案は、自動車のハンドルに着脱及び自動車内収納部に収納可能な背板付き吊り物置台に関するものである。
【背景技術】
【０００２】
昨今は、コンピュータが普及し、産業界はもとより家庭まで浸透している。又、モバイル環境も社会に整いつつあり、常時パーソナルコンピュータを携帯する人も増加している。その中には、自動車の中に持ち込む人も考えられ、そして、運転する人もその例外ではない。その運転する人が、自動車を止めているときに、簡単に自動車内のマガジン等の収納部から取り出し、ハンドルに取り付けられるテーブルがあれば有効であるが、今現存するのは特許文献１に示すオーソドックスなもので、突起部が大きく、自動車内収納部に容易に入らない。必要とするときに、自動車内収納部から取り出し、容易にハンドルに着脱できる物置台が存在しない。  
【特許文献１】実登3022049号公報
【考案の開示】
【考案が解決しようとする課題】
【０００３】
解決しようとする課題は、自動車のハンドルに容易に(イ)着脱可能で、
【０００４】
使用しないときには(ロ)自動車内の収納部に納められること。
【０００５】
又吊り物置台が使用状態において(ハ)安定であること。
【課題を解決するための手段】
【０００６】
課題(イ)に対しては、背板(2)上部の左端から右端に取り付けたハンドル着脱鎖状ひも(4)を、自動車のハンドルの外輪を構成する部品(8)を跨ぎ又は巻きつけ、背板(2)に取り付けたフック(5)にハンドル着脱鎖状ひも(4を)引っかけることによって、ハンドル用吊り物置台をハンドルに取り付け、着脱可能な構造とする。
【０００７】
課題（ロ）に対しては、物置台(1)と背板(2)を、折りたたみを可能とするため蝶番(3)で結合し、折りたたんだ際、その間に挟まるように他の部材は変形自在な鎖状ひもとすることで、使用しないときは折りたたみスリムな姿となるようにした。
【０００８】
課題（ハ）に対しては、物置台(1)を背板(2)と蝶番(3)、及び右側吊り鎖状ひも(6), 左側吊り鎖状ひも(7)で吊ることによって、物置台手前に上部からの力がかかっても安定する構造である。
【考案の効果】
【０００９】
運転者が停車中の自動車の中で、携帯パソコン等の操作をするとき、膝の上に置いて操作すると、ハンドルが邪魔になり、席を他の席に移動しても、膝の上に置いたパソコンを不自由な姿勢で操作することになるが、本考案が存在すると、運転者は手の届く範囲にある自動車内の収納部から本考案を取り出し、ハンドルに取付け、物置台(1)の上にパソコンを置き、容易にパソコン操作ができる。又操作終了後に本考案をハンドルから取り外し、二つ折にすることによって、手の届く範囲の収納部に片付けることができる。パソコン操作のみでなく、メモとり、食事等に於いても効果は同様である。
【考案を実施するための最良の形態】
【００１０】
本考案は、物置台(1)、背板(2)、蝶番(3)、フック(5)、ハンドル着脱鎖状ひも(4)、右側吊り鎖状ひも(6)、左側吊り鎖状ひも(7)で構成している。物置台(1)、背板(2)は硬質な材質であれば、プラスチック板、木版、鉄板等でも良い。又鎖状ひもは引っ張り強さに耐えられるものであって紐状のものであれば良い。蝶番(3)は、物置台(1)と背板(2)に小穴を開け、そこにリングを通した簡単なものでも良い。物置台の角度の調整は、吊り用の鎖状ひもの長さを調節できる構造、又は物置台(1)の鎖状ひもの止め穴の位置を変えられる構造とすることによって可能である。並びに物置台の高さ等は、運転席のシート或いはハンドルの調整機能を活用することで対処することができる。
【実施例１】
【００１１】
図1は本考案の実施例1であって、斜視図である。
【００１２】
図2は実施例1の本考案をハンドルに取り付けたときの斜視図である。
【００１３】
図3は本考案を折りたたみ保存状態にした斜視図である。
【産業上の利用可能性】
【００１４】
コンピュータが社会に普及し、業務に携わる人の中には、常時パーソナルコンピュータを携帯する人も見受けられる。その中には、自動車内に持ち込む人も考えられる。そして運転する人もその対象となり得る。その運転する人が、自動車を止めているときに、本考案を簡単に取り出し、取り付けパーソナルコンピュータを操作することにより、タイムリーに日報又は報告書等を作成することによって、業務推進に約立ち、ひいては産業界に貢献する。
【図面の簡単な説明】
【００１５】
【図１】本考案の斜視図である。
【図２】本考案をハンドルに取り付けたときの斜視図である。
【図３】本考案を折りたたみ保存状態の斜視図である。
【符号の説明】
【００１６】
1       
物置台
2       
背板
3       
蝶番
4       
ハンドル着脱鎖状ひも
5       
フック
6       
右側吊り鎖状ひも
7       
左側吊り鎖状ひも
8       
ハンドルの外輪を構成する部品
【手続補正３】
【補正対象書類名】図面
【補正対象項目名】全図
【補正方法】変更
【補正の内容】
【図１】
0003127106.tif 000006
【図２】
0003127106.tif 000007
【図３】
0003127106.tif 000008